(57)【要約】【課題】複数の非圧縮デジタル映像信号を多重伝送する際に、簡易な構成にて伝送誤りを検出し、伝送誤りが生じた非圧縮デジタル映像信号の系統を特定する。【解決手段】送信装置１に備えた信号多重器３の分割部１０−１〜１０−８は、ＨＤ−ＳＤＩ信号（１）〜（８）のデータを所定サイズのデータ（映像１ライン分のデータ）に分割する。ＣＲＣ付加部１１−１〜１１−８は、所定サイズのデータにＣＲＣ符号を付加する。副同期ワード付加部１２−１は、ＨＤ−ＳＤＩ信号（１）についてＣＲＣ符号が付加された所定サイズのデータに副同期ワードを付加し、同期ワード付加部１２−２〜１２−８は、ＨＤ−ＳＤＩ信号（２）〜（８）についてＣＲＣ符号が付加された所定サイズのデータに同期ワードを付加する。多重部１３は、ＣＲＣ符号及び副同期ワードまたは同期ワードが付加された所定サイズのデータを単位として、系統毎に順番に並べて多重し、多重信号を生成する。【選択図】図２
2015198343.tif 000002
【特許請求の範囲】
【請求項１】
複数の非圧縮デジタル映像信号を多重して送信する送信装置において、
前記複数の非圧縮デジタル映像信号のそれぞれを、所定サイズのデータに分割する分割部と、
前記分割部により分割された所定サイズのデータを対象にしてＣＲＣ符号を算出し、前記所定サイズのデータにＣＲＣ符号を付加するＣＲＣ付加部と、
前記複数の非圧縮デジタル映像信号のうち少なくとも１以上の非圧縮デジタル映像信号の系統について、前記ＣＲＣ付加部によりＣＲＣ符号が付加された所定サイズのデータに対し、第１の同期ワードを付加し、前記少なくとも１以上の非圧縮デジタル映像信号の系統以外の系統について、前記ＣＲＣ付加部によりＣＲＣ符号が付加された所定サイズのデータに対し、前記第１の同期ワードとは異なる第２の同期ワードを付加する同期ワード付加部と、
前記ＣＲＣ符号及び前記第１の同期ワードまたは第２の同期ワードが付加された所定サイズのデータを単位として、当該データを前記複数の非圧縮デジタル映像信号の系統毎に順番に並べて多重し、多重信号を生成する多重部と、
を備えたことを特徴とする送信装置。
【請求項２】
請求項１に記載の送信装置において、
前記所定サイズのデータを映像１ライン分のデータとする、ことを特徴とする送信装置。
【請求項３】
請求項１または２に記載の送信装置において、
前記同期ワード付加部に代わる新たな同期ワード付加部は、
前記複数の非圧縮デジタル映像信号のうち少なくとも１以上の非圧縮デジタル映像信号の系統について、前記ＣＲＣ付加部によりＣＲＣ符号が付加された全ての所定サイズのデータのうち所定間隔のデータに対し、第１の同期ワードを付加し、前記全ての所定サイズのデータのうち他のデータに対し、前記第１の同期ワードとは異なる第２の同期ワードを付加し、前記少なくとも１以上の非圧縮デジタル映像信号の系統以外の系統について、前記ＣＲＣ付加部によりＣＲＣ符号が付加された所定サイズのデータに対し、前記第２の同期ワードを付加する、ことを特徴とする送信装置。
【請求項４】
請求項１から３までのいずれか一項に記載の送信装置において、
前記非圧縮デジタル映像信号をＨＤ−ＳＤＩ信号とする、ことを特徴とする送信装置。
【請求項５】
請求項１から４までのいずれかの送信装置から送信された多重信号を受信する受信装置であって、
前記多重信号から第１の同期ワード及び第２の同期ワードを検出し、その検出タイミングを示す第１の同期信号及び第２の同期信号をそれぞれ生成する同期処理部と、
前記第１の同期信号及び第２の同期信号に基づいて、前記多重信号に含まれるＣＲＣ符号を用いて伝送誤りを検出し、その検出タイミングを示す誤り信号を生成するＣＲＣチェック部と、
前記第１の同期信号及び第２の同期信号並びに前記誤り信号に基づいて、伝送誤りが生じた非圧縮デジタル映像信号の系統を特定する伝送誤り非圧縮デジタル映像信号特定部と、
を備えたことを特徴とする受信装置。
【発明の詳細な説明】
【技術分野】
【０００１】
本発明は、非圧縮デジタル映像信号を多重して伝送する送信装置及び受信装置に関する。
【背景技術】
【０００２】
従来、大容量の非圧縮デジタル映像信号を伝送する装置として、例えば、非特許文献１に記載のものが知られている。非圧縮デジタル映像信号を伝送する送信側の装置（送信装置）は、非圧縮のデジタルハイビジョン信号であるＨＤ−ＳＤＩ（High Definition−Serial Digital Interface）信号を複数入力し、複数のＨＤ−ＳＤＩ信号を多重した信号を、電波を用いて無線送信する。受信側の装置（受信装置）は、送信装置から無線送信された多重信号を無線受信し、多重信号を複数のＨＤ−ＳＤＩ信号に分離し、分離した複数のＨＤ−ＳＤＩ信号を出力する。
【０００３】
図９は、従来の送信装置及び受信装置を含むシステムの構成を示す概略図、並びに従来の受信装置に備えた信号分離器の構成を示すブロック図であり、前述の非特許文献１に記載された伝送手法が反映されている。この送信装置３１は、信号多重器３３及び送信機３４を備えており、受信装置３２は、受信機３５及び信号分離器３６を備えている。
【０００４】
一般に、複数のデジタル信号を多重して伝送する装置では、デジタル信号のデータを細かい単位に分割（パケット化）して多重する手法を用いる。例えば非特許文献１においては、ＨＤ−ＳＤＩ信号における映像１ライン分のデータが２５個にパケット化され、そのパケット化されたデータに対して誤り訂正符号が付加される。
【０００５】
図９に示すシステムにおいて、送信装置３１は、６系統のＨＤ−ＳＤＩ信号（１）〜（６）を入力して多重し、多重信号から変調信号を生成して受信装置３２へ送信する。受信装置３２は、送信装置３１から変調信号を受信し、変調信号から多重信号を生成し、多重信号を分離して元の６系統のＨＤ−ＳＤＩ信号（１）〜（６）を生成し、ＨＤ−ＳＤＩ信号（１）〜（６）を出力する。
【０００６】
ここで、ＨＤ−ＳＤＩ信号について説明する。図１０は、ＨＤ−ＳＤＩ信号における映像１ライン分のデータ（輝度または色）の構成を示す図である。ＨＤ−ＳＤＩ信号における映像１ライン分のデータは、ＳＡＶ（Start of Active Video）、映像信号、ＥＡＶ（End of Active Video）、ＬＮ（Line Number）、ＣＲＣ（Cyclic Redundancy Check）、及びアンシラリ領域（補助データ）により構成される。
【０００７】
ＳＡＶ、ＥＡＶ、ＬＮ及びＣＲＣは、システムの同期等に必要なデータである。補助データは、音声信号に加え、番組制作のために必要な情報等が重畳されたデータである。ＣＲＣは、ＨＤ−ＳＤＩ信号に含まれているデータ誤りを検出するデータである。
【０００８】
図９に示す受信装置３２は、ＨＤ−ＳＤＩ信号の分離処理及び再構成処理を行った後に、ＣＲＣを用いることで、ＳＡＶ、映像信号、ＥＡＶ及びＬＮの伝送誤りを検出することができる。つまり、ＣＲＣを用いることにより、ＨＤ−ＳＤＩ信号における映像１ライン分のデータのうちＳＡＶ、映像信号、ＥＡＶ及びＬＮの伝送誤りが検出されるが、アンシラリ領域のデータである補助データの伝送誤りは検出されない。
【０００９】
図９に戻って、送信装置３１の信号多重器３３は、６系統のＨＤ−ＳＤＩ信号（１）〜（６）を入力し、ＨＤ−ＳＤＩ信号（１）〜（６）に対して誤り訂正符号化及び多重化の処理を施し、１本のデジタルストリーム信号である多重信号を生成する。信号多重器３３により生成された多重信号は、送信機３４に出力される。
【００１０】
信号多重器３３は、ＨＤ−ＳＤＩ信号（１）〜（６）のそれぞれについて、映像１ライン分のデータを単位にして処理を行う。映像１ライン分のデータを単位にして処理を行うのは、図１０に示したように、ＨＤ−ＳＤＩ信号では映像１ライン毎にＣＲＣが付加されているからである。
【００１１】
具体的には、信号多重器３３は、ＨＤ−ＳＤＩ信号（１）〜（６）のそれぞれについて、映像１ライン分のデータを２５個にパケット化し（分割し）、分割したデータに対して誤り訂正符号を付加する。そして、信号多重器３３は、誤り訂正符号を付加した分割データを、パケット単位にＨＤ−ＳＤＩ信号（１）〜（６）の系統の順番に並べた後、同期ワードを付加して多重し、多重信号を生成する。
【００１２】
図１１は、従来の多重信号の構成を示す図である。この多重信号は、送信装置３１に備えた信号多重器３３により生成され、同期ワード及び２５個の分割データをＨＤ−ＳＤＩ信号（１）〜（６）の系統の順番に並べたデータ群を単位として、この単位のデータ群を繰り返した構成になっている。左端の１番目の同期ワードに続くＨＤ−ＳＤＩ（１）は、第１系統のＨＤ−ＳＤＩ信号（１）について分割された１番目のデータであり、それに続くＨＤ−ＳＤＩ（２）は、第２系統のＨＤ−ＳＤＩ信号（２）について分割された１番目のデータである。このように、左端の１番目の同期ワードに続く２５個の分割データは、各系統の分割データを順番に並べた構成になっている。
【００１３】
同様に、２番目の同期ワードに続くＨＤ−ＳＤＩ（２）は、第２系統のＨＤ−ＳＤＩ信号（２）について分割された５番目のデータであり、それに続くＨＤ−ＳＤＩ信号（３）は、第３系統のＨＤ−ＳＤＩ信号（３）について分割された５番目のデータである。このように、２番目の同期ワードに続く２５個の分割データは、１番目の同期ワードに続く２５個の分割データと同様に、１番目の同期ワードに続く２５個の分割データに続いて、各系統の分割データを順番に並べた構成になっている。
【００１４】
図９に戻って、送信機３４は、信号多重器３３から多重信号を入力し、多重信号に対し変調処理等を施して変調信号を生成し、変調信号を、無線または有線の回線を介して受信装置３２へ送信する。
【００１５】
受信装置３２の受信機３５は、送信装置３１から送信された変調信号を受信し、変調信号に対して復調処理等を施し、ＨＤ−ＳＤＩ信号（１）〜（６）が多重された多重信号を生成する。受信機３５により生成された多重信号は、信号分離器３６に出力される。
【００１６】
信号分離器３６は、受信機３５から多重信号を入力し、多重信号からＨＤ−ＳＤＩ信号（１）〜（６）を分離して再構成し、ＨＤ−ＳＤＩ信号（１）〜（６）のそれぞれに付加されたＣＲＣを用いて伝送誤りを検出する。尚、信号分離器３６は、多重信号からＨＤ−ＳＤＩ信号（１）〜（６）を分離し、分離したＨＤ−ＳＤＩ信号（１）〜（６）のそれぞれに付加された誤り訂正符号の付加データ（パリティ・バイト）を用いた誤り訂正を行うことで、伝送誤りを検出する場合もある。
【００１７】
図９に示すように、信号分離器３６は、同期処理部４０、分離・再構成部４１、ＣＲＣチェック部４２−１〜４２−６及び伝送誤り表示部４３を備えている。同期処理部４０は、多重信号から同期ワードを検出する等の同期処理を行い、同期信号を生成する。分離・再構成部４１は、同期処理部４０により生成された同期信号に基づいて、多重信号からＨＤ−ＳＤＩ信号（１）〜（６）を分離して再構成する。
【００１８】
ＣＲＣチェック部４２−１〜４２−６は、分離・再構成部４１により分離された対応するＨＤ−ＳＤＩ信号（１）〜（６）をそれぞれ入力し、ＣＲＣを用いて伝送誤りを検出する。伝送誤り表示部４３は、ＣＲＣチェック部４２−１〜４２−６により検出された伝送誤りが生じた系統を表示する。
【００１９】
このように、従来の送信装置３１及び受信装置３２による複数のＨＤ−ＳＤＩ信号（１）〜（６）の伝送手法では、ＨＤ−ＳＤＩ信号（１）〜（６）に含まれるＣＲＣを用いるか、または誤り訂正符号を用いることで、伝送誤りを検出する。
【先行技術文献】
【非特許文献】
【００２０】
【非特許文献１】岡部、他５名、「ＨＤ−ＳＤＩ信号多重伝送用１０Ｇｂｐｓ誤り訂正符号化装置の開発」、映像情報メディア学会技術報告、vol.33、No.9、PP.13-16、BCT2009-28、IDY2009-37(Feb.2009)
【発明の概要】
【発明が解決しようとする課題】
【００２１】
前述した従来の伝送手法では、図９に示した受信装置３２において、ＨＤ−ＳＤＩ信号（１）〜（６）の分離及び再構成を行った後でなければ、伝送誤りを検出することができなかった。
【００２２】
一般に、誤り訂正処理を行うことにより、伝送誤りの位置及び伝送誤りの量を検出することができる。このため、誤り訂正符号を用いて伝送誤りを検出する手法は、ＣＲＣを用いて伝送誤りを検出する手法よりも、詳細な伝送誤りの状況を認識することができる点で有用であるが、誤り訂正処理を行うには、複雑なハードウェアを必要とするという問題があった。
【００２３】
また、ＨＤ−ＳＤＩ信号の分離処理及び再構成処理は高負荷であり、この処理も複雑なハードウェアを必要とするという問題があった。
【００２４】
そこで、本発明は前記課題を解決するためになされたものであり、その目的は、複数の非圧縮デジタル映像信号を多重伝送する際に、簡易な構成にて伝送誤りを検出し、伝送誤りが生じた非圧縮デジタル映像信号の系統を特定することが可能な送信装置及び受信装置を提供することにある。
【課題を解決するための手段】
【００２５】
前記目的を達成するために、本発明による送信装置は、複数の非圧縮デジタル映像信号を多重して送信する送信装置において、前記複数の非圧縮デジタル映像信号のそれぞれを、所定サイズのデータに分割する分割部と、前記分割部により分割された所定サイズのデータを対象にしてＣＲＣ符号を算出し、前記所定サイズのデータにＣＲＣ符号を付加するＣＲＣ付加部と、前記複数の非圧縮デジタル映像信号のうち少なくとも１以上の非圧縮デジタル映像信号の系統について、前記ＣＲＣ付加部によりＣＲＣ符号が付加された所定サイズのデータに対し、第１の同期ワードを付加し、前記少なくとも１以上の非圧縮デジタル映像信号の系統以外の系統について、前記ＣＲＣ付加部によりＣＲＣ符号が付加された所定サイズのデータに対し、前記第１の同期ワードとは異なる第２の同期ワードを付加する同期ワード付加部と、前記ＣＲＣ符号及び前記第１の同期ワードまたは第２の同期ワードが付加された所定サイズのデータを単位として、当該データを前記複数の非圧縮デジタル映像信号の系統毎に順番に並べて多重し、多重信号を生成する多重部と、を備えたことを特徴とする。
【００２６】
また、本発明による送信装置は、前記所定サイズのデータを映像１ライン分のデータとする、ことを特徴とする。
【００２７】
また、本発明による送信装置は、前記同期ワード付加部に代わる新たな同期ワード付加部が、前記複数の非圧縮デジタル映像信号のうち少なくとも１以上の非圧縮デジタル映像信号の系統について、前記ＣＲＣ付加部によりＣＲＣ符号が付加された全ての所定サイズのデータのうち所定間隔のデータに対し、第１の同期ワードを付加し、前記全ての所定サイズのデータのうち他のデータに対し、前記第１の同期ワードとは異なる第２の同期ワードを付加し、前記少なくとも１以上の非圧縮デジタル映像信号の系統以外の系統について、前記ＣＲＣ付加部によりＣＲＣ符号が付加された所定サイズのデータに対し、前記第２の同期ワードを付加する、ことを特徴とする。
【００２８】
また、本発明による送信装置は、前記非圧縮デジタル映像信号をＨＤ−ＳＤＩ信号とする、ことを特徴とする。
【００２９】
さらに、本発明による受信装置は、前記送信装置から送信された多重信号を受信する受信装置であって、前記多重信号から第１の同期ワード及び第２の同期ワードを検出し、その検出タイミングを示す第１の同期信号及び第２の同期信号をそれぞれ生成する同期処理部と、前記第１の同期信号及び第２の同期信号に基づいて、前記多重信号に含まれるＣＲＣ符号を用いて伝送誤りを検出し、その検出タイミングを示す誤り信号を生成するＣＲＣチェック部と、前記第１の同期信号及び第２の同期信号並びに前記誤り信号に基づいて、伝送誤りが生じた非圧縮デジタル映像信号の系統を特定する伝送誤り非圧縮デジタル映像信号特定部と、を備えたことを特徴とする。
【発明の効果】
【００３０】
以上のように、本発明によれば、複数の非圧縮デジタル映像信号を多重伝送する際に、簡易な構成にて伝送誤りを検出することができると共に、伝送誤りが生じた非圧縮デジタル映像信号の系統を特定することができる。
【図面の簡単な説明】
【００３１】
【図１】本発明の実施形態による送信装置及び受信装置を含むシステムの全体構成を示す概略図である。
【図２】信号多重器の構成を示すブロック図である。
【図３】信号多重器の処理を示すフローチャートである。
【図４】信号多重器の処理を説明する図である。
【図５】多重信号の構成を示す図である。
【図６】信号分離器の構成を示すブロック図である。
【図７】信号分離器の処理を示すフローチャートである。
【図８】ステップＳ７０４の処理（伝送誤りＨＤ−ＳＤＩ信号特定部の処理）の詳細を示すフローチャートである。
【図９】従来の送信装置及び受信装置を含むシステムの構成を示す概略図、並びに従来の受信装置に備えた信号分離器の構成を示すブロック図である。
【図１０】ＨＤ−ＳＤＩ信号における映像１ライン分のデータの構成を示す図である。
【図１１】従来の多重信号の構成を示す図である。
【発明を実施するための形態】
【００３２】
以下、本発明を実施するための形態について図面を用いて詳細に説明する。本発明は、送信装置において、複数の非圧縮デジタル映像信号を多重する際に、各非圧縮デジタル映像信号のデータを所定サイズのデータ（例えば映像１ライン分のデータ）に分割し、その所定サイズのデータにＣＲＣ符号を付加し、さらに同期ワードまたは副同期ワードを付加することを特徴とする。また、本発明は、受信装置において、多重信号から同期ワード及び副同期ワードを検出して同期信号及び副同期信号を生成し、多重信号に含まれるＣＲＣ符号を用いて伝送誤りを検出し、同期信号及び副同期信号に基づいて、時系列の多重信号に含まれる複数の非圧縮デジタル映像信号の系統を求め、伝送誤りを検出したタイミングの系統を、伝送誤りが生じた非圧縮デジタル映像信号の系統として特定することを特徴とする。
【００３３】
これにより、複数の非圧縮デジタル映像信号を多重伝送する際に、多重された複数の非圧縮デジタル映像信号を分離して再構成する処理の前に、伝送誤りを検出することができる。したがって、伝送誤りを検出し、伝送誤りが生じた非圧縮デジタル映像信号の系統を特定するために、誤り訂正処理を行う必要がなく、また、非圧縮デジタル映像信号を分離して再構成する処理も不要になる。つまり、簡易な構成にて伝送誤りを検出し、伝送誤りが生じた非圧縮デジタル映像信号の系統を特定することができる。以下、非圧縮デジタル映像信号としてＨＤ−ＳＤＩ信号を例に挙げて説明する。
【００３４】
図１は、本発明の実施形態による送信装置及び受信装置を含むシステムの全体構成を示す概略図である。送信装置１は、８系統のＨＤ−ＳＤＩ信号（１）〜（８）を入力して多重し、多重信号から変調信号を生成し、受信装置２へ送信する。受信装置２は、送信装置１から変調信号を受信し、変調信号から多重信号を生成し、多重信号を分離して元の８系統のＨＤ−ＳＤＩ信号（１）〜（８）を生成し、ＨＤ−ＳＤＩ信号（１）〜（８）を出力する。
【００３５】
〔送信装置〕
まず、送信装置１について説明する。この送信装置１は、信号多重器３及び送信機４を備えている。信号多重器３は、８系統のＨＤ−ＳＤＩ信号（１）〜（８）を入力し、各ＨＤ−ＳＤＩ信号（１）〜（８）のデータを所定サイズのデータ（映像１ライン分のデータ）に分割し、その所定サイズのデータにＣＲＣを付加し、さらに同期ワードまたは副同期ワードを付加して多重化処理を行い、１本のデジタルストリーム信号である多重信号を生成する。信号多重器３により生成された多重信号は、送信機４に出力される。
【００３６】
図２は、信号多重器３の構成を示すブロック図であり、図３は、信号多重器３の処理を示すフローチャートである。また、図４は、信号多重器３の処理を説明する図である。この信号多重器３は、分割部１０−１〜１０−８、ＣＲＣ付加部１１−１〜１１−８、副同期ワード付加部１２−１、同期ワード付加部１２−２〜１２−８及び多重部１３を備えている。
【００３７】
信号多重器３の分割部１０−１〜１０−８は、対応する系統のＨＤ−ＳＤＩ信号（１）〜（８）をそれぞれ入力し（ステップＳ３０１）、ＨＤ−ＳＤＩ信号（１）〜（８）のデータを所定サイズのデータ（映像１ライン分のデータ）に分割する（ステップＳ３０２）。
【００３８】
これにより、図４（ｂ）〜（ｄ）等に示すように、各系統のＨＤ−ＳＤＩ信号（１）〜（８）のデータが所定サイズのデータである映像１ライン分のデータに分割され、映像１ライン分のデータを単位に後述の処理が行われる。
【００３９】
ＣＲＣ付加部１１−１〜１１−８は、対応する分割部１０−１〜１０−８から分割された所定サイズのデータを入力し、所定サイズのデータを対象にしてＣＲＣ符号を算出し、所定サイズのデータにＣＲＣ符号を付加する（ステップＳ３０３）。
【００４０】
これにより、ＨＤ−ＳＤＩ信号（１）〜（８）における所定サイズのデータ毎に、ＣＲＣ符号が付加される。このＣＲＣ符号は、当該ＣＲＣ符号が付加された所定サイズのデータの系統において、伝送誤りを検出するために用いられる。
【００４１】
副同期ワード付加部１２−１は、ＣＲＣ付加部１１−１からＣＲＣ符号が付加された所定サイズのデータ（ＨＤ−ＳＤＩ信号（１）の系統のデータ）を入力し、ＣＲＣ符号が付加された所定サイズのデータに対し、副同期ワード（第１の同期ワード）を付加する（ステップＳ３０４）。
【００４２】
同期ワード付加部１２−２〜１２−８は、対応するＣＲＣ付加部１１−２〜１１−８からＣＲＣ符号が付加された所定サイズのデータ（ＨＤ−ＳＤＩ信号（２）〜（８）の系統のデータ）を入力し、ＣＲＣ符号が付加された所定サイズのデータに対し、同期ワード（第１の同期ワードとは異なる第２の同期ワード）を付加する（ステップＳ３０５）。
【００４３】
これにより、ＨＤ−ＳＤＩ信号（１）における所定サイズのデータ毎に、ＣＲＣ符号に加え副同期ワードが付加され、ＨＤ−ＳＤＩ信号（２）〜（８）における所定サイズのデータ毎に、ＣＲＣ符号に加え同期ワードが付加される。
【００４４】
この副同期ワードは、同期ワードとは異なるデータ、例えば同期ワードの各ビットを反転させたデータであり、後述する受信装置２において、伝送誤りの生じたＨＤ−ＳＤＩ信号（１）〜（８）の系統を特定するために用いられる。
【００４５】
多重部１３は、副同期ワード付加部１２−１及び同期ワード付加部１２−２〜１２−８からＣＲＣ符号及び副同期ワードまたは同期ワードが付加された所定サイズのデータを入力し、これらのデータを単位として系統毎に順番に並べて多重し、１本のデジタルストリーム信号である多重信号を生成する（ステップＳ３０６）。そして、多重部１３は、多重信号を送信機４に出力する（ステップＳ３０７）。
【００４６】
これにより、図４（ａ）に示すように、副同期ワード及びＣＲＣ符号、または同期ワード及びＣＲＣ符号が付加された所定サイズのデータを単位として、各系統のＨＤ−ＳＤＩ信号（１）〜（８）が順番に並んだ多重信号が生成される。ＣＲＣ符号により伝送誤りが検出される領域は、所定サイズのデータが格納された領域となる。
【００４７】
図５は、信号多重器３により生成される多重信号の構成を示す図である。図５に示すように、多重信号は、副同期ワード、ＣＲＣ符号及び所定サイズのＨＤ−ＳＤＩ信号（１）のデータ、及び、同期ワード、ＣＲＣ符号及び所定サイズのＨＤ−ＳＤＩ信号（２）〜（８）のデータからなるデータ群が８系統毎に繰り返した構成になっている。
【００４８】
図１に戻って、送信機４は、信号多重器３から多重信号を入力し、多重信号に対し変調処理等を施して変調信号を生成し、変調信号を、無線または有線の回線を介して受信装置２へ送信する。
【００４９】
以上のように、本発明の実施形態による送信装置１によれば、信号多重器３の分割部１０−１〜１０−８は、ＨＤ−ＳＤＩ信号（１）〜（８）のデータを所定サイズのデータ（映像１ライン分のデータ）にそれぞれ分割し、ＣＲＣ付加部１１−１〜１１−８は、所定サイズのデータにＣＲＣ符号をそれぞれ付加し、副同期ワード付加部１２−１は、ＨＤ−ＳＤＩ信号（１）についてＣＲＣ符号が付加された所定サイズのデータに副同期ワードを付加し、同期ワード付加部１２−２〜１２−８は、ＨＤ−ＳＤＩ信号（２）〜（８）についてＣＲＣ符号が付加された所定サイズのデータに同期ワードをそれぞれ付加し、多重部１３は、ＣＲＣ符号及び副同期ワードまたは同期ワードが付加された所定サイズのデータを単位として、系統毎に順番に並べて多重して多重信号を生成し、送信機４は、多重信号から変調信号を生成して受信装置２へ送信するようにした。
【００５０】
これにより、変調信号を受信する受信装置２は、多重信号に含まれるＣＲＣ符号を用いて伝送誤りを検出することができる。また、多重信号に含まれる副同期ワード及び同期ワードは、図５に示したように系統毎に順番に並んでいるから、受信装置２は、副同期ワードの位置からＨＤ−ＳＤＩ信号（１）の受信タイミングを認識することができると共に、それに続く同期ワードの位置からＨＤ−ＳＤＩ信号（２）〜（８）の受信タイミングを認識することができる。そして、受信装置２は、伝送誤りを検出したタイミングに対応して、伝送誤りが生じたＨＤ−ＳＤＩ信号（１）〜（８）の系統を特定することができる。
【００５１】
この場合、受信装置２は、伝送誤りを検出する処理、及び伝送誤りが生じたＨＤ−ＳＤＩ信号（１）〜（８）の系統を特定する処理を、ＨＤ−ＳＤＩ信号（１）〜（８）を分離して再構成する複雑な処理の前に行うことができる。また、伝送誤りを検出し、伝送誤りが生じたＨＤ−ＳＤＩ信号（１）〜（８）の系統を特定するために、誤り訂正処理を行う必要がないことから、複雑なハードウェアは不要である。
【００５２】
したがって、複数のＨＤ−ＳＤＩ信号（１）〜（８）を多重伝送する際に、簡易な構成にて伝送誤りを検出することができると共に、伝送誤りが生じたＨＤ−ＳＤＩ信号（１）〜（８）の系統を特定することができる。
【００５３】
〔受信装置〕
次に、図１に示した受信装置２について説明する。この受信装置２は、受信機５及び信号分離器６を備えている。受信機５は、送信装置１から送信された変調信号を受信し、変調信号に対して復調処理等を施し、ＨＤ−ＳＤＩ信号（１）〜（８）が多重された１本のデジタルストリーム信号である多重信号を生成する。受信機５により生成された多重信号は、信号分離器６に出力される。
【００５４】
信号分離器６は、受信機５から多重信号を入力し、多重信号に含まれるＣＲＣ符号を用いて伝送誤りを検出し、同期信号及び副同期信号を用いて伝送誤りの生じたＨＤ−ＳＤＩ信号（１）〜（８）の系統を特定する。また、信号分離器６は、同期信号及び副同期信号に基づいて、多重信号からＨＤ−ＳＤＩ信号（１）〜（８）を分離して再構成し、ＨＤ−ＳＤＩ信号（１）〜（８）を出力する。
【００５５】
図６は、信号分離器６の構成を示すブロック図であり、図７は、信号分離器６の処理を示すフローチャートである。この信号分離器６は、同期処理部２０、ＣＲＣチェック部２１、伝送誤りＨＤ−ＳＤＩ信号特定部（伝送誤り非圧縮デジタル映像信号特定部）２２、伝送誤り表示部２３及び分離・再構成部２４を備えている。
【００５６】
信号分離器６の同期処理部２０は、受信機５から多重信号を入力し（ステップＳ７０１）、多重信号から同期ワード及び副同期ワードを検出する等の同期処理を行い、その検出タイミングを示す同期信号及び副同期信号を生成する（ステップＳ７０２）。そして、同期処理部２０は、生成した同期信号及び副同期信号をＣＲＣチェック部２１、伝送誤りＨＤ−ＳＤＩ信号特定部２２及び分離・再構成部２４に出力する。これらの同期信号及び副同期信号は、伝送誤りＨＤ−ＳＤＩ信号特定部２２及び分離・再構成部２４において、系統のタイミングを定めるタイミング同期を行うために用いられる。
【００５７】
ＣＲＣチェック部２１は、同期処理部２０から多重信号、同期信号及び副同期信号を入力し、同期信号及び副同期信号を入力したタイミングを契機にして、多重信号に含まれるＣＲＣ符号（送信装置１に備えた信号多重器３のＣＲＣ付加部１１−１〜１１−８により付加されたＣＲＣ符号）及び所定サイズのデータを抽出し、ＣＲＣ符号を用いて所定サイズのデータに対し伝送誤りの検出を行い、伝送誤りを検出した場合、その検出タイミングを示す誤り信号を生成する（ステップＳ７０３）。そして、ＣＲＣチェック部２１は、生成した誤り信号を伝送誤りＨＤ−ＳＤＩ信号特定部２２に出力し、入力した多重信号をそのまま分離・再構成部２４に出力する。
【００５８】
伝送誤りＨＤ−ＳＤＩ信号特定部２２は、同期処理部２０から同期信号及び副同期信号を入力すると共に、ＣＲＣチェック部２１から誤り信号を入力し、同期信号及び副同期信号に基づいて、時系列の多重信号に対してＨＤ−ＳＤＩ信号（１）〜（８）の系統を求め、誤り信号を入力したタイミングの系統を、伝送誤りが生じたＨＤ−ＳＤＩ信号（１）〜（８）の系統として特定する（ステップＳ７０４）。
【００５９】
図８は、ステップＳ７０４の処理（伝送誤りＨＤ−ＳＤＩ信号特定部２２の処理）の詳細を示すフローチャートである。伝送誤りＨＤ−ＳＤＩ信号特定部２２は、副同期信号を入力したか否かを判定し（ステップＳ８０１）、副同期信号を入力したと判定した場合（ステップＳ８０１：Ｙ）、ＨＤ−ＳＤＩ信号（１）〜（８）の系統番号を示すカウント値（ＣＮＴ）を１に設定する（ステップＳ８０２）。
【００６０】
伝送誤りＨＤ−ＳＤＩ信号特定部２２は、ステップＳ８０１またはステップＳ８０２から移行して、同期信号を入力したか否かを判定し（ステップＳ８０３）、同期信号を入力したと判定した場合（ステップＳ８０３：Ｙ）、カウント値（ＣＮＴ）に１を加算する（ステップＳ８０４）。
【００６１】
これにより、副同期信号を入力した場合、カウント値はＣＮＴ＝１に設定されるから、多重信号は、第１系統のＨＤ−ＳＤＩ信号（１）のタイミングであることが認識される。そして、次に同期信号を入力した場合、カウント値はＣＮＴ＝２に設定されるから、多重信号は、第２系統のＨＤ−ＳＤＩ信号（２）のタイミングであることが認識される。このように、副同期信号または同期信号を入力した場合、多重信号は、カウント値（ＣＮＴ）を系統番号としたＨＤ−ＳＤＩ信号のタイミングであることが認識される。
【００６２】
伝送誤りＨＤ−ＳＤＩ信号特定部２２は、ステップＳ８０３またはステップＳ８０４から移行して、誤り信号を入力したか否かを判定し（ステップＳ８０５）、誤り信号を入力したと判定した場合（ステップＳ８０５：Ｙ）、カウント値（ＣＮＴ）から、伝送誤りが生じたＨＤ−ＳＤＩ信号（１）〜（８）の系統を特定する（ステップＳ８０６）。例えば、ＣＮＴ＝１の場合、ＨＤ−ＳＤＩ信号（１）の系統を伝送誤りが生じた系統として特定し、ＣＮＴ＝２の場合、ＨＤ−ＳＤＩ信号（２）の系統を伝送誤りが生じた系統として特定する。
【００６３】
伝送誤りＨＤ−ＳＤＩ信号特定部２２は、処理が終了するまでステップＳ８０１からステップＳ８０６までの処理を繰り返す（ステップＳ８０７）。
【００６４】
このように、ＣＲＣチェック部２１により伝送誤りが検出され、誤り信号が生成された場合には、伝送誤りＨＤ−ＳＤＩ信号特定部２２は、同期処理部２０から周期的に入力する同期ワード及び副同期ワードのタイミングから、伝送誤りが生じたＨＤ−ＳＤＩ信号（１）〜（８）の系統を特定する。
【００６５】
カウント値（ＣＮＴ）は、同期ワード及び副同期ワードのタイミング毎に更新されるから、そのカウント値（ＣＮＴ）と誤り信号のタイミングとによって、何番目のＨＤ−ＳＤＩ信号（１）〜（８）の系統に伝送誤りが生じたかを特定することができる。例えば、副同期ワードを入力した直後に伝送誤りが検出された場合には、カウント値がＣＮＴ＝１であるから、ＨＤ−ＳＤＩ信号（１）の系統に伝送誤りが生じたことになる。この伝送誤りが生じた系統の特定は、多重信号からＨＤ−ＳＤＩ信号（１）〜（８）を分離して再構成する処理の前に行われる。
【００６６】
図７に戻って、伝送誤り表示部２３は、ステップＳ７０４から移行して、伝送誤りＨＤ−ＳＤＩ信号特定部２２により特定された伝送誤りが生じたＨＤ−ＳＤＩ信号（１）〜（８）の系統を表示する（ステップＳ７０５）。
【００６７】
また、分離・再構成部２４は、ステップＳ７０３から移行して、同期処理部２０から同期信号及び副同期信号を入力すると共に、ＣＲＣチェック部２１から多重信号を入力する。そして、分離・再構成部２４は、同期信号及び副同期信号に基づいて、多重信号からＨＤ−ＳＤＩ信号（１）〜（８）を分離し、ＨＤ−ＳＤＩ信号（１）〜（８）に含まれるＣＲＣ符号（送信装置１に備えた信号多重器３のＣＲＣ付加部１１−１〜１１−８により付加されたＣＲＣ符号）、同期ワード（同期ワード付加部１２−２〜１２−８により付加された同期ワード）、副同期ワード（副同期ワード付加部１２−１により付加された副同期ワード）を除去してＨＤ−ＳＤＩ信号（１）〜（８）を再構成する（ステップＳ７０６）。そして、分離・再構成部２４は、再構成したＨＤ−ＳＤＩ信号（１）〜（８）を出力する（ステップＳ７０７）。
【００６８】
以上のように、本発明の実施形態による受信装置２によれば、信号分離器６の同期処理部２０は、多重信号から同期ワード及び副同期ワードを検出してそのタイミングを示す同期信号及び副同期信号を生成し、ＣＲＣチェック部２１は、同期信号及び副同期信号を入力したタイミングを契機にして、多重信号に含まれるＣＲＣ符号を用いて伝送誤りを検出し、その検出タイミングを示す誤り信号を生成し、伝送誤りＨＤ−ＳＤＩ信号特定部２２は、同期信号及び副同期信号に基づいて、時系列の多重信号に対してＨＤ−ＳＤＩ信号（１）〜（８）の系統を求め、誤り信号を入力したタイミングの系統を、伝送誤りが生じたＨＤ−ＳＤＩ信号（１）〜（８）の系統として特定するようにした。
【００６９】
これにより、伝送誤りを検出する処理、及び伝送誤りが生じたＨＤ−ＳＤＩ信号（１）〜（８）の系統を特定する処理は、ＨＤ−ＳＤＩ信号（１）〜（８）を分離して再構成する複雑な処理の前に行うことができる。また、伝送誤りを検出し、伝送誤りが生じたＨＤ−ＳＤＩ信号（１）〜（８）の系統を特定するために、誤り訂正処理を行う必要がないことから、複雑なハードウェアは不要であり、また、ＨＤ−ＳＤＩ信号（１）〜（８）を分離して再構成する処理も不要である。
【００７０】
したがって、複数のＨＤ−ＳＤＩ信号（１）〜（８）を多重伝送する際に、簡易な構成にて伝送誤りを検出することができると共に、伝送誤りが生じたＨＤ−ＳＤＩ信号（１）〜（８）の系統を特定することができる。
【００７１】
例えば、多重信号を無線伝送するシステムにおいて、操作者は、誤り訂正処理を行うハードウェア及びＨＤ−ＳＤＩ信号（１）〜（８）の分離及び再構成処理を行うハードウェアを備えていない簡易な受信装置２を用いて、伝送誤りの発生状況を観察しながらアンテナの方向調整を行うことができる。また、アンテナを切り替えて伝送特性を改善するダイバーシティ受信装置等を、簡易な構成にて実現することができる。
【００７２】
以上、実施形態を挙げて本発明を説明したが、本発明は前記実施形態に限定されるものではなく、その技術思想を逸脱しない範囲で種々変形可能である。例えば、前記実施形態では、送信装置１に備えた信号多重器３の分割部１０−１〜１０−８は、ＨＤ−ＳＤＩ信号（１）〜（８）のデータを所定サイズのデータ（映像１ライン分のデータ）に分割し、ＣＲＣ付加部１１−１〜１１−８、副同期ワード付加部１２−１及び同期ワード付加部１２−２〜１２−８は、映像１ライン分のデータに対してＣＲＣ及び副同期ワードまたは同期ワードを付加するようにした。つまり、前記実施形態では、所定サイズを、映像１ライン分のサイズとしたが、例えば、映像２ライン分、複数ライン分、映像１ライン分において輝度信号及び色信号をまとめたデータ分、または、映像１ライン分においてアンシラリ領域のデータを除いたデータ分としてもよい。
【００７３】
また、前記実施形態では、送信装置１に備えた信号多重器３の副同期ワード付加部１２−１は、ＨＤ−ＳＤＩ信号（１）の系統において、ＣＲＣ符号が付加された全ての所定サイズのデータに対し、副同期ワードを付加するようにした。これに対し、副同期ワード付加部１２−１は、全ての所定サイズのデータのうち一定間隔のデータ（例えば、２つの所定サイズのデータ毎、スーパーフレーム毎、映像の複数ライン毎）に対し、副同期ワードを付加するようにしてもよい。この場合、副同期ワード付加部１２−１は、副同期ワードを付加しない所定サイズのデータに対し、同期ワードを付加する。
【００７４】
また、前記実施形態では、信号多重器３は、ＨＤ−ＳＤＩ信号（１）の１系統において、副同期ワードを付加するようにしたが、複数系統において、副同期ワードを付加するようにしてもよい。この場合、副同期ワードは、他の系統の副同期ワードとは異なるデータとする必要がある。つまり、信号多重器３は、系統毎に異なる副同期ワードを付加する。
【符号の説明】
【００７５】
１，３１  送信装置
２，３２  受信装置
３，３３  信号多重器
４，３４  送信機
５，３５  受信機
６，３６  信号分離器
１０−１〜１０−８  分割部
１１−１〜１１−８  ＣＲＣ付加部
１２−１  副同期ワード付加部
１２−２〜１２−８  同期ワード付加部
１３  多重部
２０，４０  同期処理部
２１，４２−１〜４２−６  ＣＲＣチェック部
２２  伝送誤りＨＤ−ＳＤＩ信号特定部
２３，４３  伝送誤り表示部
２４，４１  分離・再構成部
【図１】
2015198343.tif 000003
【図２】
2015198343.tif 000004
【図３】
2015198343.tif 000005
【図４】
2015198343.tif 000006
【図５】
2015198343.tif 000007
【図６】
2015198343.tif 000008
【図７】
2015198343.tif 000009
【図８】
2015198343.tif 000010
【図９】
2015198343.tif 000011
【図１０】
2015198343.tif 000012
【図１１】
2015198343.tif 000013